(57)【要約】【課題】皮膚のつっぱり感を客観的に評価することができる装置を提供する。【解決手段】つっぱり感評価装置１００が、音響周波数領域の衝撃波の送信用端子２と受信用端子３とを皮膚Ｓの表面に所定間隔をあけて当て、両端子間の衝撃波の伝搬時間を測定する衝撃波の伝搬時間測定手段１０、及び該測定手段１０を用いて経時的に測定した、皮膚Ｓの表面の一測定部位を中心とする複数方向の衝撃波の伝搬時間について、各伝搬時間の変化、好ましくは各伝搬時間の初期測定時の伝搬時間の最大値に対する比率を算出し、その結果を出力する演算手段２０からなる。【選択図】    図１
2004160020.tif 000002
【特許請求の範囲】
【請求項１】
音響周波数領域の衝撃波の送信用端子と受信用端子とを皮膚表面の測定部位に所定間隔をあけて当て、両端子間の衝撃波の伝搬時間を測定する衝撃波の伝搬時間測定手段、及び
該測定手段を用いて経時的に測定した、皮膚表面の測定部位を中心とする特定方向の衝撃波の伝搬時間について、該伝搬時間の変化を算出し、その結果を出力する演算手段、
を備えた皮膚のつっぱり感評価装置。
【請求項２】
経時的に測定した、皮膚表面の測定部位を中心とする特定方向の衝撃波の伝搬時間が、初期測定における伝搬時間の最大方向±４５°の方向の範囲内の伝搬時間である請求項１記載の皮膚のつっぱり感評価装置。
【請求項３】
音響周波数領域の衝撃波の送信用端子と受信用端子とを皮膚表面の測定部位に所定間隔をあけて当て、両端子間の衝撃波の伝搬時間を、皮膚表面の測定部位を中心とする特定方向について経時的に測定し、該伝搬時間の変化に基づいて皮膚のつっぱり感を数値的に評価する皮膚のつっぱり感評価方法。
【請求項４】
前記特定方向についての衝撃波の伝搬時間の測定に先立ち、予め、皮膚表面の測定部位を中心とする複数方向について、送信用端子と受信用端子の間の衝撃波の伝搬時間を測定して該伝搬時間の最大方向を求め、前記特定方向を、その最大方向±４５°の方向とする請求項３記載の皮膚のつっぱり感評価方法。
【請求項５】
前記特定方向について衝撃波の伝搬時間を皮膚処理の前後に測定し、皮膚処理前の伝搬時間に対する皮膚処理後の伝搬時間の変化を求める請求項３又は４記載の皮膚のつっぱり感評価方法。
【発明の詳細な説明】
【０００１】
【発明の属する技術分野】
本発明は、皮膚のつっぱり感を客観的に評価する装置と方法に関する。
【０００２】
【従来の技術】
一般に、石鹸を用いて洗顔をした後、スキンケア化粧料を施さない場合には、瞼、口元、フェイスライン付近に、自由な皮膚の運動を阻害するような強いつっぱり感が生じる。このつっぱり感を客観的に評価することができれば、石鹸等の洗浄剤やスキンケア化粧料の評価指標の一つとして、つっぱり感を用いることが可能となる。
【０００３】
一方、皮膚の弾力性や柔軟性の測定装置として、バイモルフ型圧電素子からなる端子を皮膚にあてることにより皮膚表面に音響周波数領域のパルスを送り、その伝搬時間あるいは伝搬速度を測定する装置が知られている（特許文献１、特許文献２参照）。
【０００４】
【特許文献１】ＥＰ１１６６７１７Ａ１号公報
【特許文献２】特開平２−２１８４０号公報
【０００５】
【発明が解決しようとする課題】
しかしながら、従来、洗顔後のつっぱり感を数値化し、客観的に評価できるようにする装置はなく、つっぱり感は主観的な評価に委ねられている。
【０００６】
そこで本発明は、皮膚のつっぱり感の客観的な評価を可能とするつっぱり感評価装置を提供することを目的とする。
【０００７】
【課題を解決するための手段】
本発明者らは、皮膚表面の２点間に音響周波数領域の衝撃波を伝搬させた場合の伝搬時間を用いると、皮膚のつっぱり感を客観的に評価できることを見出した。  即ち、本発明は、音響周波数領域の衝撃波の送信用端子と受信用端子とを皮膚表面の測定部位に所定間隔をあけて当て、両端子間の衝撃波の伝搬時間を測定する衝撃波の伝搬時間測定手段、及び
該測定手段を用いて経時的に測定した、皮膚表面の測定部位を中心とする特定方向の衝撃波の伝搬時間について、該伝搬時間の変化を算出し、その結果を出力する演算手段、
を備えた皮膚のつっぱり感評価装置を提供する。
【０００８】
また、洗浄剤又はスキンケア化粧料の評価指標として皮膚のつっぱり感を使用できるようにするため、本発明は、音響周波数領域の衝撃波の送信用端子と受信用端子とを皮膚表面の測定部位に所定間隔をあけて当て、両端子間の衝撃波の伝搬時間を、皮膚表面の測定部位を中心とする特定方向について経時的に測定し、該伝搬時間の変化に基づいて皮膚のつっぱり感を数値的に評価する皮膚のつっぱり感評価方法を提供する。
【０００９】
【発明の実施の形態】
以下、図面を参照しつつ、本発明を詳細に説明する。なお、各図中、同一符号は同一又は同等の構成要素を表している。
【００１０】
図１は、本発明のつっぱり感評価装置１００の概略構成図である。
【００１１】
このつっぱり感評価装置１００は、プローブ１内に設けられたバイモルフ型圧電素子からなる送信用端子（エミッター）２と受信用端子（レシーバー）３を皮膚に当て、送信用端子２から音響周波数領域（０．５〜３０ｋＨｚ）の衝撃波、即ち音響パルスを送信し、それを受信用端子３で検出し（０〜１０ｋＨｚ）、これら端子２、３間の衝撃波の伝搬時間を測定する衝撃波の伝搬時間測定手段１０と、この測定手段１０を用いて経時的に測定した、被験者の皮膚Ｓの測定部位を中心とする特定方向（例えば、図１のＤ１  〜Ｄ４  の４方向）の衝撃波の伝搬時間について、該衝撃波の変化を算出し、その結果を出力する演算手段２０と、演算手段２０の出力値を、衝撃波の伝搬時間の経時的変化を表すグラフとして示すディスプレイ３０からなっている。
【００１２】
ここで、衝撃波の伝搬時間測定手段１０としては、皮膚に音響周波数領域のパルスを与え、その伝搬時間を測定する方式の公知の皮膚の弾力性測定機器を使用することができる。このような機器としては、例えば、ＲＥＶＩＳＣＯＭＥＴＥＲ  ＲＶＭ６００（ＣＯＵＲＡＧＥ＋ＫＨＡＺＡＫＡ  ＥＬＥＣＴＲＯＮＩＣ社）等をあげることができる。
【００１３】
また、衝撃波の伝搬時間測定手段１０としては、任意の測定部位おいて、互いに異なる複数の衝撃波伝搬方向について衝撃波の伝搬時間を容易に測定できるものが好ましい。このような測定手段としては、例えば、図２に示すように、皮膚Ｓに固定するアプリケーターリング４に目盛５を付しておき、プローブ１をアプリケーターリング４に挿入する際に、アプリケーターリング４の目盛５にプローブ１の目印線６を合わせることにより、プローブ１の回転角がわかるようにしたものを挙げることができる。
【００１４】
演算手段２０としては、ハード的には、パーソナルコンピュータ等を使用することができる。また、演算手段２０は、衝撃波の伝搬時間測定手段１０で測定された衝撃波の伝搬時間を、その測定時点及び測定方向に関する情報と共に手入力するものであっても、また、衝撃波の伝搬時間測定手段１０とケーブルで接続することにより、伝搬時間等の情報が自動で入力されるようにしたものでもよい。
【００１５】
衝撃波の伝搬時間について、測定値自体は、皮膚の弾力性を示すのみで、その測定値をつっぱり感と関連づけることはできないが、伝搬時間の経時的変化を算出することにより、得られた値をつっぱり感と関連づけることが可能となる。
【００１６】
以下、本発明の装置を用いて皮膚のつっぱり感を評価する方法について具体的に説明する。
【００１７】
本発明の測定方法は、洗顔剤等の皮膚処理により生ずるつっぱり感を衝撃波の伝搬時間（Ｔｔ）の経時的変化から見積もるものであり、その方法の一例を以下に示す。尚、ここでいう皮膚処理に用いる剤としては、洗顔剤、洗浄剤、スキンケア剤等が挙げられ、洗顔剤、洗浄剤が好ましい。
【００１８】
工程１）あらかじめ、測定部位に送信用端子（エミッター）２と受信用端子（レシーバー）３の中心がくるようにプローブ１をあて、その測定部位を中心に複数方向の衝撃波の伝搬時間を測定し、伝搬時間（Ｔｔ）が相対的に大きくなる方向（Ｄ）を決定する。以後、工程１）での伝搬時間の測定を初期測定といい、初期測定時の衝撃波の伝搬時間を（Ｔ０）、伝搬時間（Ｔ０）が相対的に大きくなる方向（Ｄ）についての伝搬時間を（ＴＤ０）とする。
【００１９】
工程２）洗顔等の皮膚処理を行い、次いで工程１）と測定部位を変えずに、伝搬時間が相対的に大きくなる方向（Ｄ）にプローブ１の向きを合わせ、洗顔等の皮膚処理後の伝搬時間（ＴＤｔ）を経時的に測定する。
【００２０】
工程３）ついで、皮膚処理後の伝搬時間（ＴＤｔ）の経時的変化からつっぱり感を評価する。
【００２１】
工程１）においては、まず、送信用端子２と受信用端子３とを皮膚Ｓの表面の測定部位に所定間隔をあけて当て、両端子間の衝撃波の伝搬時間（Ｔ０）を測定する。そして、この測定部位を中心とする複数方向について測定する。
【００２２】
測定部位としては、つっぱり感を敏感に感じられる顔面とすることが好ましく、特に頬付近が好ましい。さらに具体的には、被験者の眼の中央垂線と両鼻翼の上部を結んだ線との交点を中心とした半径約１５ｍｍの円内が好ましく、半径約５ｍｍの円内が最も好ましい。
【００２３】
送信用端子２と受信用端子３との間隔は、測定部位の物性と得られる数値との相関性を保ち、伝搬時間の測定感度を維持する点から、０．８〜１０ｍｍが好ましく、１．０〜３ｍｍがより好ましく、１．０〜１．５ｍｍがさらに好ましい。
【００２４】
測定すべき複数方向としては、測定部位の中心を変えずに、例えばプローブ１を１５度、３０度、４５度ずつのいずれか角度で回転させ３６０度全ての方向がカバーできるように測定を行う。ついで、伝搬時間が相対的に大きくなる方向を決めるが、この方向は皮膚処理前の各方向の伝搬時間が図３のような相対値を示す場合に、伝搬時間が最大となる方向Ｄ１  ±４５°の方向の範囲内（図中、ドットで塗りつぶした範囲内）が好ましく、さらに最大方向Ｄ１  ±３０°の範囲、最大方向Ｄ１  ±１５°の範囲、最大方向Ｄ１  ±５°の範囲の伝搬時間とＤ１方向に近い程つっぱり感との相関が高くなるため好ましく、伝搬時間の最大値を示すＤ１  方向が最も好ましい。
【００２５】
工程２）においては、工程１）で決めた伝搬時間（Ｔ０）が相対的に大きくなる方向（Ｄ）について、工程１）と同じ測定部位において送信用端子２と受信用端子３間の伝搬時間（ＴＤｔ）を経時的に測定する。この際、必要に応じて方向（Ｄ）以外の他の方向について同時に経時的に伝搬時間（Ｔｔ）を測定してもよい。
【００２６】
時間的な測定間隔としては、洗顔あるいは所定のスキンケア化粧料の皮膚への適用等の皮膚処理前、及び皮膚処理直後から０．５〜１０分間隔とすることが好ましい。
【００２７】
工程３）皮膚処理後の伝搬時間（ＴＤｔ）の変化からつっぱり感を評価するには、伝搬時間が相対的に大きくなる方向（Ｄ）の衝撃波の各伝搬時間（ＴＤｔ）について、例えば、
ｉ）初期測定時の伝搬時間（ＴＤ０）及び皮膚処理後の伝搬時間（ＴＤｔ）
ｉｉ）各伝搬時間（ＴＤｔ）を工程１）の初期測定時の伝搬時間（ＴＤ０）で除した比率（小数、％、割合等）
ｉｉｉ）皮膚処理後の伝搬時間（ＴＤｔ）と初期測定時の伝搬時間（ＴＤ０）との差
等を特定の時点若しくは経時的にプロットし、その変化からつっぱり感を評価することができる。より具体的には各伝搬時間（ＴＤｔ）が初期測定時の伝搬時間（ＴＤ０）に対し相対的に大きく低下する程（即ち、低下率が大きい程）つっぱり感が強く、変化がない程つっぱり感が無いか、あるいは弱く感じられるようになる。例えば、前述ｉｉ）の比率（小数Ｇ）では、Ｇ値が大きく低下する程（即ち、低下率が大きい程）つっぱり感が強く、Ｇ値が１あるいは１に近い程つっぱり感が無いか、あるいは弱く感じられるようになる。
【００２８】
尚、相対的変化の基準となる時点の伝搬時間（ＴＤｔ）としては、好ましくは初期測定時〜皮膚処理後５分、より好ましくは、初期測定時〜皮膚処理直後のいずれかの時点における伝搬時間とすることができるが、特に、測定精度の点から工程１）の初期測定時の伝搬時間（ＴＤ０）とすることが好ましい。
【００２９】
以上のように、洗顔等の処理後の皮膚について、衝撃波の伝搬時間の経時的変化はつっぱり感の主観的評価と良好に対応するので、これによりつっぱり感を客観的に評価することが可能となる。
【００３０】
【実施例】
実施例１
２０〜３０歳代の女性１８名を被験者とした。各被験者は、予め化粧料を除いた後に、洗浄剤を用いて洗顔し、その後スキンケアをすることなく２時間以上を室温にて過ごし、皮膚に水分量と皮脂を自然回復させた。この状態を「洗顔前」状態とした。
【００３１】
工程１）：再現性よく同一部位を測定するため、仰臥位を取った被験者の眼の中央垂線と両鼻翼の上部を結んだ水平線との交点の頬部を測定部位とし、洗顔前における測定部位について自己申告によるつっぱり感のスコア（４段階）を得た。また、コルネオメータ（ＣＯＵＲＡＧＥ＋ＫＨＡＺＡＫＡ  ＥＬＥＣＴＲＯＮＩＣ社）による皮膚水分量と、ＲＥＶＩＳＣＯＭＥＴＥＲ  ＲＶＭ６００（ＣＯＵＲＡＧＥ＋ＫＨＡＺＡＫＡ  ＥＬＥＣＴＲＯＮＩＣ社）による４方向（４５°ずつプローブを回転させて測定）の衝撃波の伝搬時間（Ｔ０）を測定し、伝搬時間（Ｔ０）が相対的に最も大きくなる方向（Ｄ１）を０°とした（図４）。この方向０°での衝撃波の伝搬時間をＴＤ１０とする。
【００３２】
工程２）３）：次に、石鹸（花王社、ホワイト）を用いて顔面の左右いずれか半分に洗顔処理を行った。各被験者からは、石鹸洗顔の直後、２分後、５分後、１０分後、３０分後に、洗顔処理を行った頬部と無洗顔の頬部のそれぞれについて、自己申告によりつっぱり感のスコア（４段階）を得た。また、洗顔処理を行った頬部と無洗顔の頬部のそれぞれについて、石鹸洗顔の直後、２分後、５分後、１０分後、３０分後に、水分量をコルネオメーター（ＣＯＵＲＡＧＥ＋ＫＨＡＺＡＫＡ  ＥＬＥＣＴＲＯＮＩＣ社）によって測定し、頬部の４方向の衝撃波の伝搬時間（Ｔｔ）をＲＥＶＩＳＣＯＭＥＴＥＲ  ＲＶＭ６００（ＣＯＵＲＡＧＥ＋ＫＨＡＺＡＫＡ  ＥＬＥＣＴＲＯＮＩＣ社）により測定し、各被験者ごとに、衝撃波の伝搬時間（Ｔｔ）を「洗顔前」状態の衝撃波の伝搬時間の最大値（ＴＤ１０）で除して比率（小数Ｇ）を得、その比率Ｇ値についてそれぞれ被験者全体の平均を求め、それを時間に対してプロットした。また、水分量についても洗顔前の値に対する比率を求め、プロットした。
【００３３】
次に２０〜３０歳代の女性１６名を被験者とし、石鹸洗顔に代えて水（３５℃）による洗顔を行い、同様に、つっぱり感のスコアと水分量測定と衝撃波の伝搬時間の変化を求めた。
【００３４】
これらの結果を図４〜図７、表１〜表３に示す。なお、図６は、測定した４方向のうち、最大値をとった方向（Ｄ１；図４では０°）の伝搬時間についてＧ値の経時変化を示し、図７は、最小値をとった方向の伝搬時間についてのＧ値の経時変化（いずれも、洗顔前の衝撃波の伝搬時間の最大値を１とするもの）を示した。
【００３５】
【表１】
2004160020.tif 000003
【００３６】
【表２】
2004160020.tif 000004
【００３７】
【表３】
2004160020.tif 000005
【００３８】
これらの結果から、つっぱり感は、「洗顔前」状態に対して、洗顔２〜５分後に最大となること、水分量は洗顔直後に急激に上昇し、２分後には低下するがその後はあまり変化しないこと、衝撃波の伝搬時間は測定方向により異なり極大及び極小値が存在すること、また、衝撃波の伝搬時間はいずれの方向においても洗顔直後に徐々に低下するが、初期測定時の伝搬時間が最大値をとる方向（Ｄ１；図４では０°）での伝搬時間の経時的変化の比率Ｇは、他の方向に比して低下の度合いが大きく、洗顔２〜５分後に最低値をとることがわかる。
【００３９】
したがって、つっぱり感の上昇と衝撃波の伝搬時間の比率Ｇの低下とが対応していること、特に、初期測定での伝搬時間が最大値をとる方向（Ｄ１；図４では０°）における伝搬時間の比率Ｇは、つっぱり感の発生とよく連動していることがわかる。また、つっぱり感は、一般には、洗浄による皮膚の乾燥に起因すると考えられているが、図４〜図７の結果から、即時的な水分量の変化よりも、角層柔軟性の変化に関連性のあることが考えられる。
【００４０】
実施例２
２０〜３０歳代の女性５名を被験者とし、種々の活性剤がつっぱり感に与える影響の違いを、実施例１において、石鹸に代えて評価対象とする活性剤を用いることにより調べた。この場合、評価対象とする活性剤としては、モノアルキルリン酸塩、ラウリル酸ナトリウム、Ｎ−アシルグルタミン酸の５重量％水溶液を用いた。また、活性剤を用いた頬部の洗浄処理には、各活性剤溶液の２ｍＬを泡立てて用いた。
【００４１】
一方、対照には３５℃の水による洗顔を行った。
【００４２】
活性剤又は水による洗浄処理は、１日１回を限度とし、数日間に渡って同一被験者から洗浄処理後のつっぱり感のスコアを得、また、Ｄ１方向での衝撃波の伝搬時間の低下率（％）を求めた。洗浄処理５分後のつっぱり感のスコアを表４に示し、洗浄処理５分後の衝撃波の伝搬時間の低下率（％）を図８に示す。
【００４３】
【表４】
2004160020.tif 000006
【００４４】
表４及び図８の結果から、つっぱり感の発生人数の多い活性剤においては、衝撃波の伝搬時間の低下率が大きく、つっぱり感の発生人数の少ない活性剤においては、衝撃波の伝搬時間の低下率が小さいことがわかる。これにより、各種活性剤が皮膚にもたらすつっぱり感と衝撃波の伝搬時間の低下率とが対応していることがわかる。
【００４５】
【発明の効果】
本発明の装置によれば、皮膚のつっぱり感を客観的に評価することができる。したがって、石鹸等が皮膚にもたらすつっぱり感を、客観的に評価することが可能となる。
【図面の簡単な説明】
【図１】つっぱり感評価装置の概略構成図である。
【図２】アプリケーターリングを備えたプローブの先端部の説明図である。
【図３】初期測定における伝搬時間の相対値の説明図である。
【図４】洗顔前後の衝撃波の伝搬時間の変化を示す図である。
【図５】洗顔前後の水分量の経時的変化を示す図である。
【図６】衝撃波の伝搬速度の最大値の経時的変化を示す図である。
【図７】衝撃波の伝搬速度の最小値の経時的変化を示す図である。
【図８】活性剤の種類と衝撃波の伝搬速度の低下率（％）との関係図である。
【符号の説明】
１    プローブ
２    送信用端子
３    受信用端子
４    アプリケーターリング
５    目盛
６    目印線
１０    衝撃波の伝搬時間測定手段
２０    演算手段
３０    ディスプレイ
１００    つっぱり感評価装置
Ｓ    皮膚
【図１】
2004160020.tif 000007
【図２】
2004160020.tif 000008
【図３】
2004160020.tif 000009
【図４】
2004160020.tif 000010
【図５】
2004160020.tif 000011
【図６】
2004160020.tif 000012
【図７】
2004160020.tif 000013
【図８】
2004160020.tif 000014